(57)【特許請求の範囲】
【請求項１】
電源スイッチ及び傾斜検出スイッチ装置を備え、外形状がほぼ円柱体に形成され、前記電源スイッチ及び傾斜検出スイッチ装置が共にＯＮ状態にある場合に内蔵する電池からビーム光発光素子に電源供給され、前記円柱体の軸方向に向けてビーム光を出射するポインタと、
このポインタを軸回り方向に回動自在に保持する保持具と、
この保持具に連結され、帽子の鍔に着脱自在のクリップと、
このクリップ及び前記保持具を介して前記帽子の鍔に前記ポインタが取着された際に、このポインタの円柱体の軸方向を前記帽子正面側の上下、左右方向に調整可能の方向調整手段とを備え、
前記電源スイッチは前記ポインタを前記保持具上で軸回り方向に一定角度回動させてＯＮ／ＯＦＦ可能とされ、
前記傾斜検出スイッチ装置は、
前記電源スイッチのＯＮ時であって前記円柱体の軸方向が水平方向よりも下方向に一定角度以上傾斜された場合にＯＮ状態となって前記ポインタからビーム光を出射させ、かつ前記円柱体の軸方向がほぼ水平方向に戻った場合にはＯＦＦ状態に復帰し、保持する傾斜検出スイッチ装置であって、
後端側に底部を有し先端側が開口する有底円筒状の、導電性を有するスイッチケースと、
このスイッチケースの前記底部に固着された永久磁石と、
前記スイッチケース内にこのスイッチケースと電気的に導通した状態で固定され、このスイッチケースの開口側に対応する先端部が少なくとも先端方向に弾性を有して窄められた、導電性を有するほぼ円筒状のホルダと、
前記スイッチケース内の前記ホルダ先端部に対向した位置に固定され、中心位置に、端子が貫通した状態で固定された、又は前記電池の突状側電極が挿通されて前記ホルダ内に臨ませ得る電池電極挿通孔が穿設された、環状の絶縁性を有するスペーサと、
前記ホルダ内に転動自在に収納され、前記永久磁石に吸着されている状態から前記スイッチケースの開口側を下方に傾け、前記永久磁石の吸着力から解かれて前記ホルダ先端部側に転動しそのホルダ先端部内面位置で停止した場合に前記端子の一端又は前記電池の突状側電極に接触して、この端子又は電池の突状側電極と前記スイッチケースとの間を電気的に導通させてスイッチＯＮ状態とし、この状態から前記スイッチケースの底部側を下方に傾けると前記永久磁石側に転動しこの永久磁石に吸着されて前記端子又は前記電池の突状側電極と前記スイッチケースとの間を電気的に非導通状態に保持させる導電性の磁性体からなる可動球体とを具備してなり、かつ、
前記ホルダ内の前記永久磁石及び前記可動球体間には、前記永久磁石に常時吸着する静止球体が収納され、
前記可動球体は、前記永久磁石に前記静止球体を介して吸着されている状態から前記スイッチケースの開口側を下方に傾け、前記永久磁石の吸着力から解かれて前記ホルダ先端部側に転動しそのホルダ先端部内面位置で停止した場合に前記端子の一端又は前記電池の突状側電極に接触して、その端子又は電池の突状側電極と前記スイッチケースとの間を電気的に導通させてスイッチＯＮ状態とし、この状態から前記スイッチケースの底部側を下方に傾けると前記永久磁石側に転動しこの永久磁石に前記静止球体を介して吸着されて前記端子又は前記電池の突状側電極と前記スイッチケースとの間を電気的に非導通状態に保持させることを特徴とするゴルフスイング練習器。
【請求項２】
前記保持具上における前記ポインタの軸方向への移動を阻止するストッパを具備することを特徴とする請求項１に記載のゴルフスイング練習器。
【発明の詳細な説明】
【技術分野】
【０００１】
本発明は、ゴルフスイングの練習に好適なゴルフスイング練習器に関するものである。
【背景技術】
【０００２】
ゴルフのスイング時に頭部が動くとボールが直線に飛ばない等、ボールの行方が不正確となる。そこで従来、スイング時に頭部が動かないように矯正する装置（練習器）が提案された。
これは、頭部に装着される弾力性を有するバンドにレーザビーム発光装置を設けると共に、バンド（レーザビーム発光装置）に対して電源部を接続する電源用配線を有してなるものである（特許文献１参照）。
【特許文献１】特開昭６４−２２２６７号公報
【発明の開示】
【発明が解決しようとする課題】
【０００３】
しかしながら上記従来技術では、一旦、電源スイッチをＯＮにすると、スイング時以外でも発光し続け、電源が浪費された。このような練習器の電源には電池が用いられるので、電源の浪費は早い時期での電池切れを引き起こすことになり、したがって、予備の電池を携行したり、電池取替えを余儀なくされる等、不便であった。
また、発光装置と電源部が分離しているため着脱に手間が掛かり、加えて、それらを接続する電源用配線の存在が煩わしかった。更に、バンドを頭に直接取着することも煩わしかった。
本発明は、上記従来技術の問題点を解消するためになされたもので、電池電源の浪費を防止でき、しかもそれをいちいちスイッチ操作をすることなく可能であり、また、着脱が容易で配線等も外部に露出しない等、全体として装着感、使い勝手のよいゴルフスイング練習器を提供することを目的とする。
【課題を解決するための手段】
【０００４】
上記目的を達成するために、特許請求の範囲の請求項１に記載のゴルフスイング練習器は、電源スイッチ及び傾斜検出スイッチ装置を備え、外形状がほぼ円柱体に形成され、前記電源スイッチ及び傾斜検出スイッチ装置が共にＯＮ状態にある場合に内蔵する電池からビーム光発光素子に電源供給され、前記円柱体の軸方向に向けてビーム光を出射するポインタと、このポインタを軸回り方向に回動自在に保持する保持具と、この保持具に連結され、帽子の鍔に着脱自在のクリップと、このクリップ及び前記保持具を介して前記帽子の鍔に前記ポインタが取着された際に、このポインタの円柱体の軸方向を前記帽子正面側の上下、左右方向に調整可能の方向調整手段とを備え、前記電源スイッチは前記ポインタを前記保持具上で軸回り方向に一定角度回動させてＯＮ／ＯＦＦ可能とされ、前記傾斜検出スイッチ装置は、前記電源スイッチのＯＮ時であって前記円柱体の軸方向が水平方向よりも下方向に一定角度以上傾斜された場合にＯＮ状態となって前記ポインタからビーム光を出射させ、かつ前記円柱体の軸方向がほぼ水平方向に戻った場合にはＯＦＦ状態に復帰し、保持する傾斜検出スイッチ装置であって、後端側に底部を有し先端側が開口する有底円筒状の、導電性を有するスイッチケースと、このスイッチケースの前記底部に固着された永久磁石と、前記スイッチケース内にこのスイッチケースと電気的に導通した状態で固定され、このスイッチケースの開口側に対応する先端部が少なくとも先端方向に弾性を有して窄められた、導電性を有するほぼ円筒状のホルダと、前記スイッチケース内の前記ホルダ先端部に対向した位置に固定され、中心位置に、端子が貫通した状態で固定された、又は前記電池の突状側電極が挿通されて前記ホルダ内に臨ませ得る電池電極挿通孔が穿設された、環状の絶縁性を有するスペーサと、前記ホルダ内に転動自在に収納され、前記永久磁石に吸着されている状態から前記スイッチケースの開口側を下方に傾け、前記永久磁石の吸着力から解かれて前記ホルダ先端部側に転動しそのホルダ先端部内面位置で停止した場合に前記端子の一端又は前記電池の突状側電極に接触して、この端子又は電池の突状側電極と前記スイッチケースとの間を電気的に導通させてスイッチＯＮ状態とし、この状態から前記スイッチケースの底部側を下方に傾けると前記永久磁石側に転動しこの永久磁石に吸着されて前記端子又は前記電池の突状側電極と前記スイッチケースとの間を電気的に非導通状態に保持させる導電性の磁性体からなる可動球体とを具備してなり、かつ、前記ホルダ内の前記永久磁石及び前記可動球体間には、前記永久磁石に常時吸着する静止球体が収納され、前記可動球体は、前記永久磁石に前記静止球体を介して吸着されている状態から前記スイッチケースの開口側を下方に傾け、前記永久磁石の吸着力から解かれて前記ホルダ先端部側に転動しそのホルダ先端部内面位置で停止した場合に前記端子の一端又は前記電池の突状側電極に接触して、その端子又は電池の突状側電極と前記スイッチケースとの間を電気的に導通させてスイッチＯＮ状態とし、この状態から前記スイッチケースの底部側を下方に傾けると前記永久磁石側に転動しこの永久磁石に前記静止球体を介して吸着されて前記端子又は前記電池の突状側電極と前記スイッチケースとの間を電気的に非導通状態に保持させることを特徴とする。
【０００７】
特許請求の範囲の請求項２に記載の発明は、上記請求項１に記載のゴルフスイング練習器において、前記保持具上における前記ポインタの軸方向への移動を阻止するストッパを具備することを特徴とする。
【発明の効果】
【０００８】
特許請求の範囲の請求項１又は２に記載の各発明によれば、電池電源の浪費を防止でき、しかもそれをいちいちスイッチ操作をすることなく可能であり、また、着脱が容易で配線等も外部に露出しない等、全体として装着感、使い勝手のよいゴルフスイング練習器を提供できる。
【０００９】
特に、特許請求の範囲の請求項１に記載の発明によれば、一定角度の回動（傾斜）でＯＮ／ＯＦＦするスイッチ機能を、簡単かつ低コストで構成できる。また、ポインタが水平方向を境に上下に若干傾動（振動）しても無用なＯＮ／ＯＦＦを抑制できる。
【００１０】
特許請求の範囲の請求項２に記載の発明によれば、ゴルフスイング練習時にポインタに振動が加わっても、ポインタが保持具上でずれ移動したり、脱落することを防止できる。
【発明を実施するための最良の形態】
【００１１】
以下、本発明の実施の形態を図面に基づき説明する。なお、各図間において、同一符号は同一又は相当部分を示す。
図１は本発明によるゴルフスイング練習器の一実施形態を示す側面図、図２は図１中のII−II線断面矢視図、図３は同上ゴルフスイング練習器のポインタ部分の要部断面構成図、図４は図３中のホルダ先端部を取り出して示す側面図（図ａ）及び正面図（図ｂ）、図５は回路図である。
図１に示すように、本実施形態のゴルフスイング練習器は、ポインタ１、保持具２、クリップ３及び方向調整手段４を備えて構成されている。図示例では、ストッパ５も備えている。
【００１２】
図１〜図３，図５に示すように、ポインタ１は、電源スイッチ１ａ及び傾斜検出スイッチ装置１ｂを備え、外形状がほぼ円柱体に形成され、上記電源スイッチ１ａ及び傾斜検出スイッチ装置１ｂが共にＯＮ状態にある場合に内蔵する電池１ｃからビーム光発光素子１ｄに電源供給され、上記円柱体の軸方向（ポインタ軸方向）１ｅに向けてビーム光１ｄ′を出射するように構成されている。具体例として、このポインタ１は、上記ビーム光発光素子１ｄ、ここではレーザ光、例えば赤外線レーザや緑色レーザを出射するレーザダイオード、このレーザダイオード１ｄの駆動回路部１ｆ、例えば単三電池や単四電池等の電池（電源）１ｃ、電源スイッチ１ａ及びこれらを収納する主ケース１ｇからなるポインタ本体１ｈと、傾斜検出スイッチ装置１ｂとを備えて構成されている（図５参照）。
【００１３】
図１及び図２に示すように、保治具２は、ポインタ１を軸回り方向に回動自在に保持可能に、例えば、ポインタ１の円柱体（主ケース１ｇ）の胴部外周をその上方側の一部を除いて取り巻いて保持する本体２ａと、本体下方の基部２ｂとで構成されている。保持具２は、ここでは可撓性の合成樹脂からなる。
【００１４】
図１に示すように、クリップ３は、保持具２の基部２ｂに連結され、図示しない帽子の鍔に着脱自在に構成されている。具体例として、クリップ３は、帽子の鍔の厚みよりもやや小さな距離で相互間に弾性を有して対向する一対の挟持板部３ａ，３ａとそれらの連結部３ｂとを備えた、ステンレス鋼板等の金属板で形成される。一対の挟持板部３ａ，３ａのうち、上側の挟持板部３ａの自由端は、上部側にＵ字状に折り返され、帽子の鍔への装着が容易になるようにされている。
クリップ３は、帽子の鍔に着脱自在に構成されていれば、図示例のみに限定されないが、図示例のクリップ３によれば、一枚の金属板を曲げ加工によって容易に形成でき、低コスト化が図れる。
【００１５】
図１に示すように、方向調整手段４は、クリップ３及び保持具２間に設けられ、クリップ３及び保持具２を介して帽子の鍔にポインタ１が装着された際に、ポインタ１の軸方向１ｅ、つまりレーザ光１ｄ′の光軸方向を帽子正面側の上下、左右方向に調整可能に構成されている。方向調整手段４としては、カメラ等の三脚に設けられている自由雲台（ボールヘッド）が用いられている。ここでは、方向調整後、その位置に強く固定するねじ止め具が省略された簡易タイプの自由雲台が用いられている。
ストッパ５は、保持具２上におけるポインタ１の軸方向１ｅへのずれ移動を阻止する部材である。このストッパ５は、例えば一部が切除されたほぼ環状の可撓性の合成樹脂からなり、保治具２をそのポインタ軸方向（ポインタ１の円柱体軸方向）１ｅ側の両端部において挟み込むように、ポインタ１の主ケース１ｇの胴部外周に填め込まれてなるが、この構成のみに限定されることはない。
【００１６】
ここで、上記電源スイッチ１ａは、ポインタ１を保持具２上で軸回り方向に一定角度α回動させてＯＮ／ＯＦＦ可能である。
図示例では、電源スイッチ１ａを押し釦式のスイッチとし、図２においてポインタ１を反時計方向に回動させると、電源スイッチ１ａが、可撓性の合成樹脂からなる保持具２の上部開口位置から反時計方向に回動され押圧されながら潜り込む隙間２ｃが保持具２に形成されている。つまり、押し釦式の電源スイッチ１ａが、位置イでＯＦＦ、位置ロでＯＮするように構成されている。
【００１７】
また、上記傾斜検出スイッチ装置１ｂは、電源スイッチ１ａのＯＮ時であって、図６に示すように、ポインタ軸方向１ｅが水平方向よりも下方向に一定角度β以上傾斜された場合にＯＮ状態となってポインタからレーザ光１ｄ′を出射させ、かつ上記軸方向１ｅがほぼ水平方向に戻った場合にはＯＦＦ状態に復帰し、同ＯＦＦ状態を保持するように構成されている。
【００１８】
以下に、この傾斜検出スイッチ装置１ｂの具体的な構成例を図３、図４及び図７を参照して説明する。
図示例では、傾斜検出スイッチ装置１ｂは、スイッチケース１ｊ、永久磁石１ｋ、ホルダ１Ｌ、スペーサ１ｍ、可動球体１ｎ及び静止球体１ｏを備えて構成されている。
図３に示すように、スイッチケース１ｊは、後端側に底部を有し先端側が開口する有底円筒状に形成されている。このスイッチケース１ｊは、導電性を有し、ほぼ円筒状の主ケース１ｇの後端部にねじ構造によって着脱自在であり、また、その外径寸法が主ケース１ｇの外径寸法に合わされ、ポインタ１全体としての外形状がほぼ円柱体になるように設定されている。
【００１９】
スイッチケース１ｊが主ケース１ｇに装着されたときに相互間が電気的に導通するように、主ケース１ｇも導電性を有する。スイッチケース１ｊが主ケース１ｇに装着されたときに、スイッチケース１ｊから、電源スイッチ１ａ、レーザダイオード１ｄ（レーザダイオード駆動回路部１ｆ）及び電池に至る導電路が形成されるように構成すれば、スイッチケース１ｊや主ケース１ｇを導電体で形成する必要はない。
スイッチケース１ｊを、主ケース１ｇにねじ構造によって着脱自在としたのは、電池の交換を行うためである。
永久磁石１ｋは、例えば円柱状ないし円板状に形成され、スイッチケース１ｊの底部、具体的には底部内面中央位置にその円形の一端面が貼付固着されている。
【００２０】
ホルダ１Ｌは、導電性を有し、スイッチケース１ｊ内にこのスイッチケース１ｊの内面と電気的に導通した状態で、ここでは摺合わせ接触した状態で固定され、このスイッチケース１ｊの開口側に対応する先端部が先端方向及び軸回り方向に弾性を有して窄められたほぼ円筒状に形成されている。
図示例では、ホルダ１Ｌは胴部１ｐと先端部１ｑとに分けて形成されている。そして先端部１ｑは、薄い銅板を用い、図４に取り出して示すように、先端側が、各々やや内向きとされた多数の三角形状を円周方向に連なって形成することにより、上記の先端方向及び軸回り方向に弾性を有して窄められた形状を実現している。
このような形状にしたのは、可動球体１ｎがホルダ１Ｌ先端部側、つまりホルダ先端部１ｑ内に転動し、位置したときに、その可動球体１ｎとホルダ１Ｌ（先端部１ｑ）との接触を確実にすると共に、可動球体１ｎがホルダ先端部１ｑの軸心に位置合わせされ、スペーサ１ｍの中心位置に固定された端子１ｒに球体中央部で接触させるためである。
スペーサ１ｍは、スイッチケース１ｊ内のホルダ１Ｌの先端部１ｑに対向した位置に固定され、上記のように中心位置に端子１ｒが貫通した状態で固定された環状絶縁体からなる。図示例では、端子１ｒとして、スイッチケース１ｊ軸方向に弾性を有する端子、ここではスプリング端子が用いられている。
【００２１】
可動球体１ｎは、ホルダ１Ｌ内に、このホルダ１Ｌの軸回り方向及び軸方向に転動自在に収納されている。本実施形態では、ホルダ１Ｌ内の永久磁石１ｋ及び可動球体１ｎ間には、永久磁石１ｋに常時吸着する静止球体１ｏが収納されている。
上記可動球体１ｎは、永久磁石１ｋに静止球体１ｏを介して吸着されている、図３に示す水平状態から、スイッチケース１ｊの開口側（図３中、右側）を図７に示すように下方に一定角度β以上傾け、自重（重力）によって永久磁石１ｋの吸着力から解かれてホルダ先端部１ｑ側に転動し（矢印ハ参照）、そのホルダ先端部１ｑ内面位置で停止した場合に、スプリング端子１ｒの一端に接触してそのスプリング端子１ｒ及びスイッチケース１ｊ間を電気的に導通させ、スイッチＯＮ状態とする。スプリング端子１ｒ及びスイッチケース１ｊ間の導通路は、スプリング端子１ｒ→可動球体１ｎ→ホルダ先端部１ｑ→ホルダ胴部１ｐ→スイッチケース１ｊとなっている。
また、この可動球体１ｎは、図７に示すようなスプリング端子１ｒ及びスイッチケース１ｊ間の導通状態から、スイッチケース１ｊの底部側（図７中、左側）を下方に一定角度β以上傾けると自重（重力）によって永久磁石１ｋ側に転動し、この永久磁石１ｋに静止球体１ｏを介して吸着され、スプリング端子１ｒ及びスイッチケース１ｊ間を電気的に非導通状態（スイッチＯＦＦ状態）に保持させる。
【００２２】
なお、可動球体１ｎ及び静止球体１ｏは同材質、同寸法の導電性の磁性体、例えばパチンコ玉のような鋼球からなる。これら両球１ｎ，１ｏの直径と両球１ｎ，１ｏを収納するホルダ１Ｌの内径とは、両球１ｎ，１ｏがホルダ１Ｌ内で軸回り方向及び軸方向に自由に転動自在で、かつこれら両球１ｎ，１ｏの中心及び永久磁石１ｋの中心がホルダ１Ｌ（スイッチケース１ｊ）の中心軸上から大きく外れない程度に、各々設定、つまり、ホルダ１Ｌの内径が両球１ｎ，１ｏの直径よりやや大きい程度に設定されている。
【００２３】
次に、上述したように構成されたゴルフスイング練習器の使用例を図１〜図７に図８及び図９を併用して説明する。
使用に際しては、図８に示すように、クリップ３を鍔８ａに取着する。すなわち、クリップ３の一対の挟持板部３ａ，３ａ間に帽子８の鍔８ａを挿通する。これにより、クリップ３及び保持具２を介してポインタ１が帽子８の鍔８ａに装着される。そして、方向調整手段である自由雲台４を用い、ポインタ軸方向１ｅ、つまりレーザ光１ｄ′の光軸方向が帽子８の正面側（図８中、左側）に向くように調整しておく。
このようにゴルフスイング練習器を取着した帽子８を練習者がかぶった状態では、図８に示すようにポインタ軸方向１ｅはほぼ水平方向に向いている（図１〜図３に示す状態及び図６中の実線で示す状態となっている）ので、図３から分るように、可動球体１ｎは、永久磁石１ｋに静止球体１ｏを介して吸着されている。したがって、スプリング端子１ｒ及びスイッチケース１ｊ間の導通路は、スプリング端子１ｒ→ホルダ先端部１ｑ間において遮断され、傾斜検出スイッチ装置１ｂはＯＦＦ状態となっている。
つまり、図８に示す状態で、ポインタ１を保持具２上で軸回り方向に一定角度α回動して電源スイッチ１ａをＯＮさせても、レーザダイオード１ｄ（レーザダイオード駆動回路部１ｆ）には電池１ｃからの電源（電池電源）供給がされず、レーザ光１ｄ′は出射されない（電源消費されない）。
【００２４】
次に、練習者が実際の練習状態、すなわち図９に示すアドレス状態（練習者９の視線がクラブヘッド、ここではパターヘッド、あるいはボールに向けられた状態）になると、ポインタ１の軸方向１ｅも練習者９の視線と同じ方向、図示例ではパターヘッド１０を向く。したがって、ポインタ軸方向１ｅは水平方向よりも一定角度β（図６参照）以上下方向に傾斜した状態となり、図７から分るように、可動球体１ｎは、自重によって永久磁石１ｋの吸着力から解かれてホルダ先端部１ｑ側に転動する。そして可動球体１ｎは、ホルダ先端部１ｑ内面位置で停止し、スプリング端子１ｒの一端に接触して、そのスプリング端子１ｒ及びスイッチケース１ｊ間を電気的に導通させる。つまり、傾斜検出スイッチ装置１ｂをＯＮ状態とする。
このとき、電源スイッチ１ａはＯＮしているので、レーザダイオード１ｄには電池電源が供給され、レーザ光１ｄ′がポインタ軸方向１ｅに出射され、パターヘッド１０に投射され、所期の目的を達成、つまり頭部９ａを動かさずにスイングをする等の練習を実現できる。
【００２５】
練習の終了あるいは中断により、練習者９の視線が、換言すればポインタ軸方向１ｅが、水平方向に戻ってゆくと、すなわち、図７に示すようなスプリング端子１ｒ及びスイッチケース１ｊ間の導通状態から、スイッチケース１ｊの底部側（図７中、左側）が下方に一定角度β以上傾くと、可動球体１ｎは永久磁石１ｋ側に転動する。そして可動球体１ｎは、永久磁石１ｋに静止球体１ｏを介して吸着され、スプリング端子１ｒ及びスイッチケース１ｊ間を電気的に非導通状態に保持する。つまり、傾斜検出スイッチ装置１ｂは、図３に示すＯＦＦ状態に自動復帰して、レーザダイオード１ｄには電池電源が供給されなくなり、レーザ光１ｄ′は出射されなくなる（電源消費されなくなる）。
【００２６】
このように、練習者９が実際の練習状態（アドレス状態）にならない限り、傾斜検出スイッチ装置１ｂはＯＮ状態とならず、レーザダイオード１ｄは作動しないので、電源消費されなくなり、電池電源の浪費を防止できる。しかも、傾斜検出スイッチ装置１ｂのＯＮ／ＯＦＦは自動で行われ、いちいち手動操作する必要がない。
また、外部に露出する配線はなく、帽子８からの着脱もクリップ３を用いて容易に行うことができ、ポインタ軸方向１ｅ、つまりレーザ光１ｄ′の光軸方向の調整も方向調整手段（自由雲台）４によって容易に行うことができ、全体として装着感、使い勝手を大きく向上し得る。
特に、図３及び図７に示すように構成した傾斜検出スイッチ装置１ｂによれば、ポインタ１が水平方向に戻る際の慣性によって、あるいはポインタ１が水平方向以上戻ることによる自重によって、可動球体１ｎが永久磁石１ｋ側に転動し、一度永久磁石１ｋ（静止球体１ｏ）に吸着すると、ポインタ１が水平方向を境に上下に若干傾動（振動）してもそれが吸収され、傾斜検出スイッチ装置１ｂの無用なＯＮ／ＯＦＦを抑制できる。
【００２７】
なお、上述実施形態において、ホルダ１Ｌ内に、可動球体１ｎの他に球体（静止球体１ｏ）を収納したのは、可動球体１ｎが永久磁石１ｋの吸着力から解かれてホルダ１Ｌ先端部側に転動するときの一定角度β（図６参照）の設定、調整、特に微調整をすることが主な理由である。したがって、静止球体１ｏを収納せず、永久磁石１ｋの吸着力や可動球体１ｎの重さの選定等で上記一定角度βの設定、調整が可能であれば、ホルダ１Ｌ内に収納する球体は可動球体１ｎのみでよい。
いずれにしても、永久磁石１ｋ及び可動球体１ｎを用いた傾斜検出スイッチ装置１ｂによれば、一定角度の回動（傾斜）でＯＮ／ＯＦＦするスイッチ機能を、簡単かつ低コストで構成できる。
【００２８】
また、上述実施形態では、図３及び図７から分るように、ホルダ先端部１ｑ内に転動し、位置した可動球体１ｎがスプリング端子１ｒを通して電池１ｃの＋極に導通するように構成したが、これのみに限定されることはない。
例えば、図１０に取り出して示すように、絶縁性を有する環状のスペーサ１ｍの中心部の孔を、電池１ｃの＋極（突状側電極）が挿通されてホルダ１Ｌ内に臨ませ得る電池電極挿通孔１ｓとして穿設し、可動球体１ｎが電池１ｃの＋極に直接接触し、これと導通するようにしてもよい。この構成によれば、部品点数の削減や製作コストの低減が図れる。
また、図１１及び図１２に示すように、ホルダ先端部１ｑ内の可動球体１ｎと電池１ｃの＋極との導通を、導電性の中間部材１ｕ及びスプリング端子１ｖを用いて行うように構成してもよい。この場合、スペーサ１ｍの中心部の孔２１は、電池１ｃの＋極側に開口する凹部２２の底面に穿設される。また中間部材１ｕは、上記孔２１を貫通して先端がホルダ先端部１ｑ内に位置する可動球体１ｎに接触する突極２３と、上記スペーサ１ｍの凹部２２内に填め込み固定される基部２４とが一体形成され、その基部２４の、電池１ｃの＋極に対向する位置に盲孔２５が穿設されてなる。スプリング端子１ｖは、後端部分（図中、左側部分）が中間部材１ｕの盲孔２５内に圧入、固定され、先端面が電池１ｃの＋極に弾性を有して接触するように構成されている。この構成によれば、ホルダ先端部１ｑ内の可動球体１ｎと電池１ｃの＋極との導通をより確実にかつ安定して行える。
なお、図３及び図７中のコイルスプリング端子１ｔは、電池１ｃの−極及びレーザダイオード駆動回路部１ｆの−側電源端子間を導通すると共に、電池１ｃにスペーサ１ｍ側への押圧力を与える端子である。電池交換は、スイッチケース１ｊを主ケース１ｇから外して行われるが、電池交換後にスイッチケース１ｊを主ケース１ｇに装着すると、上記コイルスプリング端子１ｔは圧縮されて上記のように電池１ｃにスペーサ１ｍ側への押圧力を与える。
【図面の簡単な説明】
【００２９】
【図１】本発明によるゴルフスイング練習器の一実施形態を示す側面図である。
【図２】図１中のII−II線断面矢視図である。
【図３】図１に示すゴルフスイング練習器のポインタ部分の要部断面構成図である。
【図４】図３中のホルダ先端部を取り出して示す図である。
【図５】図１に示すゴルフスイング練習器の回路例を示す図である。
【図６】同上ゴルフスイング練習器の動作説明図である。
【図７】図３に示したポインタ部分の動作の詳細を説明するための図である。
【図８】本発明によるゴルフスイング練習器を帽子の鍔に装着した状態の一例を示す斜視図である。
【図９】同上ゴルフスイング練習器の使用例の説明図である。
【図１０】図３中のスペーサ部分の構成の他の例（その１）を示す図である。
【図１１】図３中のスペーサ部分の構成の他の例（その２）を示す図である。
【図１２】図１１中の要部の分解斜視図である。
【符号の説明】
【００３０】
１：ポインタ、１ａ：電源スイッチ、１ｂ：傾斜検出スイッチ装置、１ｃ：電池、１ｄ：レーザダイオード（ビーム光発光素子）、１ｄ′：レーザ光（ビーム光）、１ｅ：円柱体軸方向（ポインタ軸方向）、１ｆ：レーザダイオード駆動回路部、１ｇ：主ケース、１ｈ：ポインタ本体、１ｊ：スイッチケース、１ｋ：永久磁石、１Ｌ：ホルダ、１ｍ：スペーサ、１ｎ：可動球体、１ｏ：静止球体、１ｐ：ホルダ胴部、１ｑ：ホルダ先端部、１ｒ：スプリング端子（端子）、１ｓ：電池電極挿通孔、２：保持具、３：クリップ、４：自由雲台（方向調整手段）。
【図１】
0004797187.tif 000002
【図２】
0004797187.tif 000003
【図３】
0004797187.tif 000004
【図４】
0004797187.tif 000005
【図５】
0004797187.tif 000006
【図６】
0004797187.tif 000007
【図７】
0004797187.tif 000008
【図８】
0004797187.tif 000009
【図９】
0004797187.tif 000010
【図１０】
0004797187.tif 000011
【図１１】
0004797187.tif 000012
【図１２】
0004797187.tif 000013